(57)【要約】【課題】  放電灯と反射鏡を用いる照明器具において、放電灯から出射する色むらを十分に除去することができ、照射面の色ばらつきを抑制する。【解決手段】  照明器具１は、反射鏡２に設けられた孔部に挿通させる高輝度放電灯４を備え、前記孔部は、反射鏡２の中心軸を法線とする箇所と、該中心軸と交差する軸を法線とする箇所とに設けられていて、反射鏡２の中心軸が略水平に据付けられる場合には、高輝度放電灯４を、反射鏡２の中心軸と交差する軸を法線とする孔部に挿通させ、高輝度放電灯４の長手方向を略鉛直にした状態で使用することができる。これにより、高輝度放電灯４の沈殿物を電極付近に集めることができ、沈殿物を介して出射される光束も少なくなり、色ばらつきを抑制することができる。また、反射鏡２の中心軸が略鉛直に据付けられる場合には、高輝度放電灯４を、反射鏡２の中心軸を法線とする孔部に挿通させる。【選択図】図４
2010146946.tif 000002
【特許請求の範囲】
【請求項１】
開放縁と、この開放縁の中心に直交する中心軸を回転軸とする反射面とを有する反射鏡と、この反射鏡を収容する筐体と、前記反射鏡に設けられた孔部に挿通させて前記筐体に装着される高輝度放電灯と、を備えた反射鏡付き照明器具であって、
前記孔部は、前記中心軸を法線とする箇所と、前記中心軸と交差する軸を法線とする箇所とに設けられていることを特徴とする反射鏡付き照明器具。
【請求項２】
前記孔部は、前記中心軸を法線とする箇所と、前記中心軸と交差する軸を法線とする箇所とが連続する長孔として設けられていることを特徴とする請求項１に記載の反射鏡付き照明器具。
【発明の詳細な説明】
【技術分野】
【０００１】
本発明は、放電灯と反射鏡を用いたスポット照明に適した照明器具に関する。
【背景技術】
【０００２】
従来の、この種の反射鏡付き照明器具としては、店舗、美術館等でのディスプレイ用のスポットライトがある。また、このスポットライトの光源には、高輝度・高演色性から高輝度放電灯（ＨＩＤランプ）が用いられている。このＨＩＤは、発光管内部に封入されたヨウ化物等の揮発状態にないハロゲン化物が発光管の重力方向側の内面に沈殿する。この沈殿物は、通常、黄色みを有していて、ランプからの光は当該沈殿物を介して出射されるため、黄色みを帯びた光が出射されることとなる。そして、この黄色みを帯びた光は反射鏡で反射して、被照射面に到達する。
【０００３】
このように、沈殿物を介して照射された光が被照射面に照射されると、被照射面を部分的に照射するため、被照射面において部分的に黄色みを帯びることで、色むらが生じ、従って、均斉のとれた照明効果を得ることが難しくなる。
【０００４】
この課題に着目した従来技術として、（１）ランプを改善する（例えば特許文献１参照）、（２）別途装置を用いる（例えば特許文献２参照）、（３）反射鏡に凹凸を付ける（例えば特許文献３参照）、といった解決手段がある。
特許文献１に示される技術においては、ランプ発光管内壁にフロスト部を設けることによって、色むらを少なくするようにしているが、色むらを十分に除去できていない。
【０００５】
特許文献２に示される技術においては、ランプを管軸中心に回転させながら点灯することで、発光管内壁の温度が一定となり、沈殿物を蒸発させることにより、色むらを除去している。ところが、この技術では、装置が大型化し、コスト増となる。
【０００６】
特許文献３に示される技術においては、リフレクタに微小な凹凸を設けたことで、この微小な凹凸で反射される光は適宜に散乱されて混じり合うので、反射光は白色に近くなる。ところが、この技術においては、狭角配光で色むらは改善されるが、広角配光では改善されない。
【特許文献１】特開平７−１４２０３５号公報
【特許文献２】特開平５−６２５０１号公報
【特許文献３】特開平７−２４５００２号公報
【発明の開示】
【発明が解決しようとする課題】
【０００７】
本発明は、上記のような従来技術の問題を解消するものであり、放電灯と反射鏡を用いる照明器具において、放電灯から出射する色むらを十分に除去することができ、照射面の色ばらつきを抑制することができる反射鏡付き照明器具を提供することを目的とする。
【課題を解決するための手段】
【０００８】
請求項１の発明は、開放縁と、この開放縁の中心に直交する中心軸を回転軸とする反射面とを有する反射鏡と、この反射鏡を収容する筐体と、前記反射鏡に設けられた孔部に挿通させて前記筐体に装着される高輝度放電灯と、を備えた反射鏡付き照明器具であって、前記孔部は、前記中心軸を法線とする箇所と、前記中心軸と交差する軸を法線とする箇所とに設けられているものである。
【０００９】
請求項２の発明は、請求項１に記載の反射鏡付き照明器具において、前記孔部は、前記中心軸を法線とする箇所と、前記中心軸と交差する軸を法線とする箇所とが連続する長孔として設けられているものである。
【発明の効果】
【００１０】
請求項１の発明によれば、反射鏡の中心軸が略水平に据付けられる場合には、高輝度放電灯を、反射鏡の中心軸と交差する軸を法線とする孔部に挿通させることで、高輝度放電灯の長手方向を略鉛直にした状態で使用することができる。これにより、高輝度放電灯の沈殿物を電極付近に集めることができ、電極付近を通過して照射される光束が少ないことから、沈殿物を介して出射される光束も少なくなり、色ばらつきを抑制することができる。また、反射鏡の中心軸が略鉛直に据付けられる場合には、高輝度放電灯を、反射鏡の中心軸を法線とする孔部に挿通させることで、上記と同等の作用効果が得られる。
【００１１】
請求項２の発明によれば、反射鏡の任意の据付角に対しても、高輝度放電灯の長手方向を略鉛直にした状態で使用することができ、色ばらつきを抑制することができる。
【発明を実施するための最良の形態】
【００１２】
（第１の実施形態）
本発明の第１の実施形態に係る反射鏡付き照明器具１について図１乃至図４を参照して説明する。図１は照明器具１の反射鏡２の中心軸が略水平に据付けられる場合を示し、図２はその分解状態を示す。照明器具１は、反射鏡２と、この反射鏡２を収容する筐体３と、筐体３に装着されるＨＩＤランプ等の高輝度放電灯４（以下、放電灯と略記する）と、を備えている。また、筐体３には、アーム部６及びソケット部５を介して安定器７が取り付けられている。
【００１３】
ソケット部５は、筐体３に設けられた孔部３４（又は３３）、さらには、反射鏡２の孔部２４（又は２３）を挿通して反射鏡２内に臨み、放電灯４の口金を装着可能としている。なお、本明細書では、このように放電灯４が、筐体３の孔部３４（又は３３）及び反射鏡２の孔部２４（又は２３）を挿通させたソケット部５を介して筐体３に装着されることを、放電灯４が反射鏡２の孔部２４（又は２３）を挿通して筐体３に装着される、と略記している。
【００１４】
反射鏡２は、開放縁２１と、この開放縁２１の中心に直交する中心軸を回転軸とする断面略放物線形状の反射面２２とを有する。反射鏡２には、放電灯４（ソケット部５）が挿通される孔部２３，２４が設けられている。孔部２３は、前記中心軸を法線とする箇所に設けられたものであり、孔部２４は、前記中心軸と交差する軸を法線とする箇所に設けられたものである。なお、反射鏡２の反射面２２の表面に凹凸形状があることで、散光効果が得られ、照射面の均斉度が上がる。
【００１５】
筐体３は、反射鏡２を固定し、保護するに必要な強度を持つ、樹脂、金属などの加工性が良い材料が好ましい。筐体３には、反射鏡２と同様に、孔部が、中心軸を法線とする箇所（３３）と、中心軸と交差する軸を法線とする箇所（３４）と、に設けられている。また、図３に示すように、筐体３の側面には、アーム連結用突部３１が設けられ、この突部３１には穴３５が設けられていて、この穴３５にアーム部６の端部が結合されるようになっている。アーム部６は、筐体３と安定器７を結合するもので、樹脂・金属などの部材で成り、図３に示した連結構造の場合、アーム部６を押し曲げる必要があるので、伸縮性を持つことが望ましい。
【００１６】
放電灯４は、透光性を有するセラミック製の容器内部に形成されている放電空間に一対の電極部が保持されるとともに、放電空間に希ガス及びハロゲン化物が封入された発光管を備えた、所謂セラミックメタルハライドランプを用いる。安定器７は、交流電源からの電圧・電流を照明光源に適した値に変換するものである。
【００１７】
この種の放電灯４は、発光により発光管内に沈殿物が発生し、照射光に影響を及ぼすことがあることから、鉛直方向に固定して設置して、その影響を少なくすることが望ましい。そこで、図１に示されるように、反射鏡２の中心軸が略水平に据付けられる場合には、放電灯４を反射鏡２の孔部２４に挿通させることで、放電灯４の長手方向を略鉛直にした状態で使用することができる。
【００１８】
ここで、図５及び図６を参照して、放電灯４の配光曲線について説明する。図５は放電灯４の構成を示し、図６は放電灯４が鉛直配置状態での縦断面での配光曲線を示す。図５に示されるように、放電灯４は、発光管４１と、その周囲の内外二重管４２と、口金４３を有し、発光管４１の上下に電極がある。発光管４１の発光部から出射される光のうち、電極付近を通過して外部に照射される光線は、その電極が影となり光束が少なくなる。このため、配光曲線は、図６に示されるように、上方及び下方（Ａで示す）の光度が弱い。
【００１９】
従って、本実施形態のように、放電灯４を鉛直方向に設置した状態で使用すれば、沈殿物を電極付近に集めることができ、電極付近を通過して外部に照射される光束が少ないことから、沈殿物を介して外部に出射される黄色みを帯びた光束も少なくなる。その結果、照射面に色むらが発生しなくなる。
【００２０】
図４（ａ）（ｂ）は、本実施形態の照明器具１において反射鏡２の据付け方向が回転された場合を示す。図４（ａ）は上述した図１と同じ状態、すなわち、反射鏡２の中心軸が略水平に据付けられる場合であり、図４（ｂ）は反射鏡２の中心軸が略垂直に据付けられる場合を示す。図４（ｂ）では、放電灯４（ソケット部５）を、反射鏡２の孔部２３、筐体３の孔部３３に挿通させることで、放電灯４の長手方向を略鉛直にしたまま使用することができる。このように、反射鏡２の据付け方向に係わらず、放電灯４の設置方向は鉛直方向とすることができ、コンパーチブルなものとなる。なお、アーム連結用突部３１の穴は、図４（ａ）（ｂ）のいずれでもアーム部６を結合できるように複数位置に設けられていて、適宜にアーム部６の連結位置を変更する。
【００２１】
図７は、本実施形態の照明器具１に使用される補助反射部材８，９を示す。反射鏡２及び筐体３の設置方向によって、放電灯４が挿通されていない孔部が常に存在する。この孔部から光が漏れ出し、グレアとなり、又は器具の動作効率が低下してしまう。補助反射部材８，９は、これらを防ぐためのもので、孔部に収まり孔部を隙間なく塞ぐ反射部材である。
【００２２】
（第２の実施形態）
本発明の第２の実施形態に係る照明器具１について図８及び図９を参照して説明する。これらの図に示されるように、本実施形態の照明器具１においては、反射鏡２及び筐体３に、これらを回転し得るように、放電灯４（ソケット部５）が挿通される連続した長い孔部３７が設けられている。孔部３７は、反射鏡２の中心軸を法線とする箇所と、中心軸と直交する軸を法線とする箇所とが連続する長孔として設けられている。さらに、アーム部６は、筐体３が回転自在となるように、片持ちにて筐体３とソケット部５とを連結し、アーム部６の筐体３との結合部には、筐体３を回転自在とする機構を備えている。これらの構成により、反射鏡２及び筐体３が回転自在となる。
【００２３】
本実施形態においては、反射鏡２が回転自在であるため、簡単に光照射方向を変えることができる。また、反射鏡２を任意の角度に回転させても、放電灯４の長手方向を略鉛直にしたまま使用することができる。従って、第１の実施形態と同様に、照射面に色むらが発生しなくなる効果が得られる。
【００２４】
本発明は、上記実施形態の構成に限られず、種々の変更が可能であり、例えば、上記実施形態では、筐体３が反射鏡２の背面の全てを覆い収容する形状のものを示したが、背面の全てを覆うことなく、例えば、反射鏡２の開放縁２１の一部周囲に沿う枠のような形状であっても構わない。また、アーム部６は必要に応じて用いればよく、また、安定器７の取り付け位置は任意に選択することができる。
【図面の簡単な説明】
【００２５】
【図１】本発明の第１の実施形態に係る照明器具において、反射鏡の中心軸が略水平に据付けられる場合の斜視図。
【図２】その分解斜視図。
【図３】（ａ）は同照明器具の筐体にあるアーム連結用突部部分の斜視図、（ｂ）は同部分の破断斜視図。
【図４】（ａ）（ｂ）は本実施形態の照明器具において反射鏡の据付け方向が回転された２つの状態を示す斜視図。
【図５】照明器具に用いられる高輝度放電灯の構成を示す側面図。
【図６】同高輝度放電灯の配光曲線図。
【図７】本実施形態の照明器具に使用される補助反射部材を含む斜視図。
【図８】（ａ）は本発明の第２の実施形態に係る照明器具の前方斜視図、（ｂ）はその後方斜視図。
【図９】（ａ）（ｂ）（ｃ）は同上照明器具において反射鏡を回転した状態を示す側断面図。
【符号の説明】
【００２６】
１  照明器具
２  反射鏡
２１  開放縁
２２  反射面
２３、２４  反射鏡２の孔部
３  筐体
４  高輝度放電灯
【図１】
2010146946.tif 000003
【図２】
2010146946.tif 000004
【図３】
2010146946.tif 000005
【図４】
2010146946.tif 000006
【図５】
2010146946.tif 000007
【図６】
2010146946.tif 000008
【図７】
2010146946.tif 000009
【図８】
2010146946.tif 000010
【図９】
2010146946.tif 000011